(57)【要約】      （修正有）【課題】ムービングプレートの長辺部の変形状態を矯正することができる上、ムービングプレートがフード部内を円滑に移動することが可能なコネクタを提供する。【解決手段】フード部１８内には、雄タブの先端部を保護するムービングプレート１２が組み込まれる。ムービングプレート１２は矩形枠状の周壁３６を有し、周壁３６は長辺部４３及び短辺部４４を有している。長辺部４３の外面には、その長辺方向の中央を挟んだ両側に、複数の凸部５０が設けられている。フード部１８の内面には、複数の凸部５０と対応する位置に、それぞれの凸部５０と対応する形状でその凸部５０が嵌合される凹部が設けられている。複数の凸部５０は、それぞれ、長辺方向の中央側にせり出すが長辺方向の端部側にはせり出さない片あり状に形成されている。【選択図】図１
2019029197.tif 000002
【特許請求の範囲】
【請求項１】
雄タブが突出して配置されるフード部と、
前記雄タブを略位置決めして挿通可能な挿通孔を有し、前記フード部内の奥側に移動することにより、前記雄タブの前記挿通孔からの突出量を増加させるムービングプレートとを備え、
前記ムービングプレートが前記フード部の内面を摺動可能な矩形枠状の周壁を有し、前記周壁は長辺部及び短辺部を有しており、
前記長辺部の外面には、その長辺方向の中央を挟んだ両側に、複数の凸部が設けられ、前記フード部の内面には、前記複数の凸部と対応する位置に、それぞれの前記凸部と対応する形状でその凸部が嵌合される凹部が設けられ、
前記複数の凸部は、それぞれ、前記長辺方向の中央側にせり出すが前記長辺方向の端部側にはせり出さない片あり状に形成されていることを特徴とするコネクタ。
【請求項２】
フード部内には、相手側の雌側ハウジングが嵌合可能とされており、前記長辺部の内面には、前記雌側ハウジングの誤嵌合防止凹部に嵌合される誤嵌合防止凸部が設けられており、前記長辺部は、前記誤嵌合防止凸部と前記凸部とが長辺方向において互いに重なり合う厚肉部を有している請求項１記載のコネクタ。
【請求項３】
前記複数の凸部は、一対の前記長辺部のそれぞれに前記長辺方向に関して非対称に配置されている請求項１または請求項２記載のコネクタ。 
【発明の詳細な説明】
【技術分野】
【０００１】
本発明は、コネクタに関する。
【背景技術】
【０００２】
特許文献１には、フード部を備えた雄型のコネクタが開示されている。フード部内には、雄タブが突出して配置されるとともに、ムービングプレートが組み込まれる。ムービングプレートは、平板状のプレート本体を有し、プレート本体には、雄タブが略位置決めして挿通される挿入孔が設けられている。そして、ムービングプレートは、フード部内を嵌合初期位置から奥側の嵌合完了位置へと移動可能とされ、嵌合嵌合位置に向けて徐々に雄タブの挿入孔からの突出量を増加させるようになっている。
【０００３】
ムービングプレートは、移動時にフード部の内面を摺動する角筒状のプレートガイド部を有している。プレートガイド部の外面には、複数のあり部が前後方向に延びるとともに周方向に間隔をあけて設けられている。各あり部は、いずれも同一形状であって、突出方向の先端面へ向けて拡開する逆テーパ状の両あり構造になっている。フード部の内面には、各あり部と対応する位置にあり溝が複数設けられている。
【０００４】
ところで、プレートガイド部は、左右方向で対向する一対の長辺部と、上下方向で対向する一対の短辺部とを有している。各あり部は、長辺部及び短辺部のそれぞれの外面に設けられている。
【０００５】
一般的にこの種の長辺部及び短辺部は、ムービングプレートの移動の円滑性を確保するため、軽量化が図られ、全体として薄肉に形成されている。一方、長辺部が薄肉になると、成形時の冷却過程で、長辺部の長辺方向の中央側が収縮して湾曲変形する懸念がある。しかし、上記構成によれば、長辺部の各あり部が対応するあり溝に嵌合されることにより、長辺部の長辺方向の中央側が湾曲変形する状態を矯正することができる。
【先行技術文献】
【特許文献】
【０００６】
【特許文献１】特開２０１１−１２４０１８号公報
【発明の概要】
【発明が解決しようとする課題】
【０００７】
上記の場合、あり部が両あり構造になっているため、あり部とあり溝との接触面積が通常の凹凸嵌合構造よりも大きく、全体としてみれば、プレートガイド部とフード部との接触面積が大きくなるという事情がある。その結果、ムービングプレートがフード部内を円滑に移動することができない懸念がある。これに対し、あり部とあり溝とのあり嵌合構造を、通常の凹凸嵌合構造に変更すれば、プレートガイド部とフード部との接触面積を小さくすることができるものの、長辺部の変形状態を矯正することが困難になるという問題がある。
【０００８】
本発明は上記のような事情に基づいて完成されたものであって、長辺部の変形状態を矯正することができる上、ムービングプレートがフード部内を円滑に移動することができるコネクタを提供することを目的とする。
【課題を解決するための手段】
【０００９】
本発明のコネクタは、雄タブが突出して配置されるフード部と、前記雄タブを略位置決めして挿通可能な挿通孔を有し、前記フード部内の奥側に移動することにより、前記雄タブの前記挿通孔からの突出量を増加させるムービングプレートとを備え、前記ムービングプレートが前記フード部の内面を摺動可能な矩形枠状の周壁を有し、前記周壁は長辺部及び短辺部を有しており、前記長辺部の外面には、その長辺方向の中央を挟んだ両側に、複数の凸部が設けられ、前記フード部の内面には、前記複数の凸部と対応する位置に、それぞれの前記凸部と対応する形状でその凸部が嵌合される凹部が設けられ、前記複数の凸部は、それぞれ、前記長辺方向の中央側にせり出すが前記長辺方向の端部側にはせり出さない片あり状に形成されているところに特徴を有する。
【発明の効果】
【００１０】
凸部が長辺部の長辺方向の中央側にせり出すが長辺方向の端部側にはせり出さない片あり状に形成されているため、各凸部が対応する凹部に嵌合されることにより、長辺部の長辺方向の中央側が湾曲変形する状態を効果的に矯正することができる。また、凸部が片あり状に形成されるため、両あり状に形成される場合に比べ、凸部と凹部との接触面積を小さくすることができ、ムービングプレートがフード部内を円滑に移動することができる。
【図面の簡単な説明】
【００１１】
【図１】本発明の実施例１に係る雄側コネクタの正面図である。
【図２】図１の部分拡大図である。
【図３】雄側ハウジングの正面図である。
【図４】ムービングプレートの正面図である。
【図５】ムービングプレートの底面図である。
【図６】ムービングプレートの断面図である。
【図７】雌側ハウジングの正面図である。
【図８】雄側コネクタにおいて、ムービングプレートが雄側ハウジングに対して初期位置に留め置かれた状態を示す断面図である。
【図９】両コネクタが正規嵌合された状態を示す断面図である。
【図１０】隔壁の凹部に保護壁が進入した状態を示す断面図である。
【発明を実施するための形態】
【００１２】
本発明の好ましい実施形態を以下に示す。
フード部内には、相手側の雌側ハウジングが嵌合可能とされており、前記長辺部の内面には、前記雌側ハウジングの誤嵌合防止凹部に嵌合される誤嵌合防止凸部が設けられており、前記長辺部は、前記誤嵌合防止凸部と前記凸部とが長辺方向において互いに重なり合う厚肉部を有しているとよい。これによれば、長辺部の強度を高めることができ、長辺部が湾曲変形するのを未然に防止することができる。
【００１３】
前記複数の凸部は、一対の前記長辺部のそれぞれに前記長辺方向に関して非対称に配置されているとよい。これによれば、ムービングプレートに方向識別性が付与されるため、ムービングプレートがフード部内に誤った姿勢で組み付けられるのを防止することができる。
【００１４】
＜実施例１＞
以下、本発明の実施例１を図１〜図１０に基づいて説明する。本実施例１のコネクタは、互いに嵌合可能な雌側コネクタ７０及び雄側コネクタ１０によって構成される。雌側コネクタ７０は、雌側ハウジング７１及び複数の雌側端子金具７２を備えている。雄側コネクタ１０は、雄側ハウジング１１、ムービングプレート１２、レバー１３及び複数の雄側端子金具１４を備えている。なお、以下の説明において前後方向については、両コネクタ１０、７０が嵌合開始時に互いに向き合う面側を前側とし、上下方向については図５及び図１０を除く各図を基準とする。
【００１５】
雌側ハウジング７１は合成樹脂製であって、図９に示すように、枠部７３と、複数の雌側サブハウジング７４とを有している。図７に示すように、枠部７３は、上下方向に長い角筒状をなし、上下方向に沿って配置される左右一対の長辺壁部７５と、左右方向に沿って配置される上下一対の短辺壁部７６とを有している。下側の短辺壁部７６における下面の左右一側には、リブ状部７７が突出して設けられている。リブ状部７７は、前後方向に延びる断面略矩形の形態とされている。
【００１６】
枠部７３の上下両端部には、ブロック状の雌側端子収容部７８が対をなして設けられている。両雌側端子収容部７８には、長辺壁部７５及び短辺壁部７６と一体化し、内部に複数の雌側キャビティ７９を有している。また、枠部７３の内部には、複数の雌側サブハウジング収容室８０が設けられている。各雌側サブハウジング収容室８０は、左右方向に長い略矩形の開口形状をなし、両雌側端子収容部７８間にて上下方向に並んで配置されている。
【００１７】
図９に示すように、各雌側サブハウジング収容室８０には、後方から雌側サブハウジング７４が挿入されて収容される。各雌側サブハウジング７４には、雌側端子収容部７８と同様、複数の雌側キャビティ７９が設けられている。各雌側サブハウジング７４及び両雌側端子収容部７８における各雌側キャビティ７９には、後方から雌側端子金具７２が挿入されて収容される。各雌側端子金具７２は、後端部が電線８１の端部に接続され、前端部に相手側の雄側端子金具１４の雄タブ１５を受けて接続可能な箱状（筒状）の接続部８２を有している。
【００１８】
図７に示すように、各雌側サブハウジング収容室８０間及び雌側サブハウジング収容室８０と雌側端子収容部７８との間は、上下方向に間隔をあけた複数の隔壁８３によって区画されている。各隔壁８３は、左右方向に延び、左右両端が枠部７３の長辺壁部７５に一体に連結されている。各雌側サブハウジング収容室８０間の隔壁８３は、左右方向に沿った平板状の形態になっている。
【００１９】
各隔壁８３の前端には、断面略矩形に切り欠かれた形態の凹所８４が設けられている。各雌側サブハウジング収容室８０間の隔壁８３に設けられた凹所８４は、雌側サブハウジング収容室８０と雌側端子収容部７８との間の隔壁８３に設けられた凹所８４よりも前後方向の深さが浅くなっている。また、各隔壁８３における凹所８４の左右両側には、一対の端壁部８５が設けられている。両端壁部８５は、それぞれ断面略矩形状をなし、左右方向の内端が凹所８４を区画するとともに、左右方向の外端が枠部７３の長辺壁部７５に一体に連結された形態になっている。
【００２０】
両長辺壁部７５の外面には、上下方向に間隔をあけて複数の誤嵌合防止凹部８６が設けられている。各誤嵌合防止凹部８６は、前後方向に延びて長辺壁部７５の前端に開口する断面略矩形の溝形状をなし、両長辺壁部７５の上下両端部にそれぞれ対をなして配置されている。
【００２１】
両長辺壁部７５の外面における上下方向略中央部には、一対のカムフォロア８７が突出して設けられている。カムフォロア８７は、前後方向に長い扁平柱状の形態になっている。
【００２２】
雄側ハウジング１１は合成樹脂製であって、図３に示すように、全体として上下方向に長い形状とされている。雄側ハウジング１１の両側外面の上下方向略中央部には、一対の支軸１６が突出して設けられている。両支軸１６には、レバー１３が回転可能に支持される。レバー１３は合成樹脂製であって詳細は図示しないが門型形状をなし、雄側ハウジング１１に跨るように装着される。レバー１３が相手側の雌側ハウジング７１と係合した状態で支軸１６を中心として初期位置から嵌合位置に向けて回動されることにより、両ハウジング１１、７１の嵌合動作が進行するようになっている。
【００２３】
雄側ハウジング１１は、雌側ハウジング７１と類似する形態の雄側本体部１７と、雄側本体部１７の外縁から前方に突出するフード部１８とを有している。雄側本体部１７は、両雌側端子収容部７８及び各雌側サブハウジング収容室８０と対応する位置に、これらと同様の形態の両雄側端子収容部１９及び各雄側サブハウジング収容室２０を有している。各雄側サブハウジング収容室２０には、後方から雄側サブハウジング２１が挿入されて収容される。図８に示すように、両雄側端子収容部１９及び各雄側サブハウジング２１に設けられた各雄側キャビティ２２には、それぞれ雄側端子金具１４が挿入されて収容される。
【００２４】
各雄側端子金具１４は、各雄側キャビティ２２の内壁に係止される筒状の本体部分を有し、本体部分の後方に電線２３の端部に接続される部分が連なり、本体部分の前方に雄タブ１５が突出する形態になっている。各雄側端子金具１４の雄タブ１５は、フード部１８内に突出して配置されている。両雄側端子収容部１９に収容される各雄側端子金具１４は、比較的大型の大型雄端子２４とされ、各雄側サブハウジング２１に収容される各雄側端子金具１４は、比較的小型の小型雄端子２５とされている。大型雄端子２４の雄タブ１５は、小型雄端子２５の雄タブ１５よりもフード部１８内への突出量が大きくされている。
【００２５】
図３に示すように、フード部１８は、上下方向に長い角筒状をなし、上下方向に沿った左右一対の側壁部２６と、左右方向に沿った上下一対の上壁部２７及び下壁部２８とを有している。下壁部２８の左右一側には、リブ受部２９が設けられている。リブ受部２９は、断面略矩形に膨出し、前後方向に延びてフード部１８の前端に開口する形態になっている。リブ受部２９にリブ状部７７が嵌合挿入されることにより、雌側ハウジング７１が雄側ハウジング１１に正規姿勢で嵌合されるようになっている。
【００２６】
両側壁部２６の上下方向略中央部には、一対の進入口３０が設けられている。両進入口３０は、両側壁部２６の前端に開口する形態とされ、内部に後述するカム部を受容可能とされている。
【００２７】
また、両側壁部２６の内面には、複数の凹部３１が設けられている。各凹部３１は、両側壁部２６のそれぞれにおいて、上下方向に間隔をあけて配置され、詳細には、進入口３０が設けられた上下方向中央（長辺方向の中央）を挟んだ両側に対をなして配置されている。より詳細には、両側壁部２６のうち、一方の側壁部２６（図３の右側の側壁２６）に設けられた両凹部３１は、上下方向外側の端部寄りの位置に配置され、他方の側壁部２６（図３の左側の側壁２６）に設けられた両凹部３１は、上下方向外側の端部からやや離れた位置に配置されている。このため、各凹部３１は、両側壁部２６のそれぞれに左右非対称に配置されることになる。本実施例１の場合、上下で対をなす凹部３１は、側壁部２６の上下方向中央から互いに等距離の位置に配置される。もっとも、上下で対をなす凹部３１は、側壁部２６の上下方向中央から互いに異なる距離離れて配置されるものであってもよい。
【００２８】
各凹部３１は、それぞれ片あり状に形成されている。詳細には、各凹部３１は、図２に示すように、上下方向に沿った奥面３２（底面）と、上下方向外側（図中矢印Ａ方向）の端面（側壁部２６の上下方向中央から離れた側の端面）であって奥面３２と直交する左右方向に沿った水平面３３と、側壁部２６の上下方向内側（図中矢印Ｂ方向）の端面（側壁部２６の上下方向中央に近い側の端面）であって奥面３２に対して鋭角方向に配置される傾斜面３４とで区画されている。言い換えれば、傾斜面３４は、側壁部２６の内面側から奥面３２側に行くにしたがって上下方向中央側へ直線状に傾斜する形態になっている。
【００２９】
続いてムービングプレート１２について説明する。ムービングプレート１２は合成樹脂製であって、図４及び図６に示すように、上下方向に沿った略矩形平板状のプレート本体３５と、プレート本体３５の外周縁から前方に突出する略矩形角筒状の周壁３６とを有している。
【００３０】
プレート本体３５には、複数の挿通孔３７が貫通して設けられている。各挿通孔３７は、断面略矩形状に開口する形態とされ、内部に、各雄側端子金具１４の雄タブ１５を位置決め状態で挿通可能とされている。各挿通孔３７のうち、各大型雄端子２４に対応するものは、幅広の雄タブ１５が位置決め挿通可能となるよう左右方向に大きく開口する形態とされている。また、プレート本体３５には、各挿通孔３７と上下方向で隣接する位置に複数の治具挿通孔３８が貫通して設けられている。図８に示すように、治具挿通孔３８は、ランス３９と対応する位置に配置され、内部に図示しない治具が挿通される。ランス３９は、雄側キャビティ２２の内面に突出する形態とされ、雄側端子金具１４を弾性的に係止して抜け止めする機能を有し、上記した治具によって雄側端子金具１４に対する係止状態が解除される。図４に示すように、各治具挿通孔３８のうち、大径の各挿通孔３７に隣接する治具挿通孔３８は、幅方向に大きく開口する形態になっている。
【００３１】
プレート本体３５には、上下二段の各挿通孔３７を１つの挿通孔群４０とした場合に、上下方向に複数の挿通孔群４０が設けられることになる。各挿通孔群４０は、相手側の雌側サブハウジング７４及び雌側端子収容部７８のそれぞれと対応する位置に設けられている。ここで、プレート本体３５の前面には、上下方向で隣接する挿通孔群４０間を仕切るようにして複数の保護壁４１が突出して設けられている。各保護壁４１は、左右方向に延びるリブ状の形態とされ、上下方向に一定間隔をあけて互いに平行に配置されている。各保護壁４１の左右両端は、周壁３６につながらず、周壁３６から離間した開放端４２とされている。各保護壁４１のうち、上端部及び下端部において大径の挿通孔３７に隣接する保護壁４１は、他の保護壁４１（小径の挿通孔３７に隣接する保護壁４１）よりも突出量が大きく、且つ上下方向の厚みも大きくされている。
【００３２】
各保護壁４１は、両コネクタ１０、７０の嵌合時に、雌側ハウジング７１の各隔壁８３と同じ高さ位置に配置され、各隔壁８３と前後方向で連続して配置される。各保護壁４１の上下方向の厚みは、対応する隔壁８３の上下方向の厚みよりも小さくされている。
【００３３】
周壁３６は、上下方向に沿って配置される左右一対の長辺部４３と、左右方向に沿って配置される上下一対の短辺部４４とを有している。下側の短辺部４４の左右一側には、リブ逃がし部４５が設けられている。図５に示すように、リブ逃がし部４５は、前後方向に延びて短辺部４４の前端に開口する形態とされている。雌側ハウジング７１のリブ状部７７は、リブ逃がし部４５を通してフード部１８のリブ受部２９に嵌合挿入される。
【００３４】
両長辺部４３の上下方向略中央部には、組み付け時にフード部１８の進入口３０と連通する一対の導入口４６が設けられている。図４に示すように、両長辺部４３の外面には、両導入口４６の奥端部と対応する位置にカムピン４７が突出して設けられている。両ハウジング１１、７１の嵌合過程で、雌側ハウジング７１のカムフォロア８７が導入口４６に進入するとともにカムピン４７と合体してカム部を構成し、このカム部がフード部１８の進入口３０を介してレバー１３にカム係合することにより、レバー１３の回動にムービングプレート１２及び雄側ハウジング１１が連動するようになっている。
【００３５】
両長辺部４３の内面には、上下方向に間隔をあけて複数の誤嵌合防止凸部４９が設けられている。図４及び図６に示すように、各誤嵌合防止凸部４９は、前後方向に延びて前端が長辺部４３の前端に臨むとともに後端がプレート本体３５に連なる断面略矩形のリブ状をなし、両長辺部４３の上下両端部にそれぞれ対をなして配置されている。各誤嵌合防止凸部４９は、両ハウジング１１、７１の嵌合時に、雌側ハウジング７１の対応する誤嵌合防止凹部８６に嵌合挿入される。
【００３６】
また、両長辺部４３の外面には、複数の凸部５０が設けられている。各凸部５０は、両長辺部４３のそれぞれにおいて、上下方向に間隔をあけて配置され、詳細には、導入口４６が設けられた上下方向中央（長辺方向の中央）を挟んだ両側に対をなして配置されている。より詳細には、両長辺部４３のうち、一方の長辺部４３に設けられた両凸部５０は、上下方向外側の端部寄りの位置に配置され、他方の長辺部４３に設けられた両凸部５０は、上下方向外側の端部からやや離れた位置に配置されている。このため、各凸部５０は、両長辺部４３のそれぞれに左右非対称に配置されることになる。本実施例１の場合、上下で対をなす凸部５０は、長辺部４３の上下方向中央から互いに等距離の位置に配置される。もっとも、上下で対をなす凸部５０は、長辺部４３の上下方向中央から互いに異なる距離離れて配置されるものであってもよい。
【００３７】
各凸部５０は、それぞれ片あり状に形成されている。詳細には、各凸部５０は、図２に示すように、上下方向に沿った突出端面５１（先端面）と、上下方向外側（図中矢印Ａ方向）の端面（長辺部４３の上下方向中央から離れた側の端面）であって突出端面５１と直交する左右方向に沿った平坦面５２と、上下方向内側（図中矢印Ｂ方向）の端面（長辺部４３の上下方向中央に近い側の端面）であって突出端面５１に対して鋭角方向に配置されるオーバーハング面５３とで形成されている。言い換えれば、オーバーハング面５３は、長辺部４３の外面側から突出端面５１側に向けて上下方向中央側へ次第に傾斜する形態になっている。
【００３８】
図４に示すように、両長辺部４３には、上下方向に関して各凸部５０と各誤嵌合防止凸部４９とが部分的に重なり合うことで厚肉となる厚肉部５４が設けられている。厚肉部５４は、図４の左上の凸部５０及び誤嵌合防止凸部４９を除く３組の凸部５０及び誤嵌合防止凸部４９と対応する位置に設けられている。
【００３９】
次に、本実施例１の作用効果を説明する。
両コネクタ１０、７０の嵌合に先立ち、雄側ハウジング１１のフード部１８内にムービングプレート１２が組み込まれる。図８に示すように、ムービングプレート１２は、プレート本体３５が雄側本体部１７の前面から前方に離間する初期位置に配置される。このとき、ムービングプレート１２は、フード部１８のロック部分に係止されることで初期位置に移動規制状態に保持される。また、各雄側端子金具１４の雄タブ１５の先端部が、プレート本体３５の対応する各挿通孔３７に略位置決めされた状態で挿通される。
【００４０】
ムービングプレート１２が初期位置にあるときに、各雄タブ１５の最先端（前端）は、隣接する保護壁４１の最先端（前端）より後方に引っ込むように配置される。このため、仮に、両コネクタ１０、７０の嵌合時に雌側コネクタ７０がフード部１８に対して傾いた姿勢をとっていても、そのような誤嵌合姿勢の雌側コネクタ７０は各保護壁４１の最先端と当接することで各雄タブ１５の先端と干渉することが実質的になく、各雄タブ１５が保護状態に維持される。
【００４１】
また、ムービングプレート１２が初期位置にあるときには、各雄タブ１５の先端部が対応する挿通孔３７を貫通してプレート本体３５の前方に突出して配置される。このため、ムービングプレート１２が初期位置にあるときに、各雄タブ１５の先端部の突出部分に、前方から図示しない導通検査用のプローブピンを押し当てて、導通検査を行うことが可能となる。
【００４２】
図１に示すように、ムービングプレート１２がフード部１８内に組み込まれると、周壁３６がフード部１８の内面に周方向に沿って当接可能（摺接可能）に配置される。詳細には、両長辺部４３及び両短辺部４４が、それぞれ両側壁部２６、上壁部２７及び下壁部２８に当接可能に配置され、ムービングプレート１２がフード部１８内で傾くことなく位置決めされた状態になる。
【００４３】
また、周壁３６の両長辺部４３の各凸部５０がフード部１８の両側壁部２６の各凹部３１に嵌合状態で挿入される。詳細には、図２に示すように、凸部５０の突出端面５１、平坦面５２及びオーバーハング面５３が、それぞれ各凹部３１の奥面３２、水平面３３及び傾斜面３４に対向して当接可能に配置される。
【００４４】
ところで、ムービングプレート１２は、移動の円滑性を確保するべく軽量化が図られ、全体が薄肉に形成されている。特に、周壁３６は上下方向に長い角筒状の形態になっているため、樹脂成形時の冷却過程で、両長辺部４３の上下方向中央側が互いに近づくように内向きに湾曲変形し易いという事情がある。しかるに本実施例１の場合、ムービングプレート１２がフード部１８内に組み込まれ、各凸部５０が対応する凹部３１に嵌合挿入されることにより、各凸部５０のオーバーハング面５３が対応する凹部３１の傾斜面３４に食い込むように当接することになり、両長辺部４３の上下方向中央側が内向きに湾曲変形した状態が効果的に矯正される。
【００４５】
続いて、両コネクタ１０、７０の嵌合作業がなされる。嵌合に際し、雌側ハウジング７１が、雄側ハウジング１１のフード部１８内に挿入され、ムービングプレート１２のプレート本体３５に対面して配置される。すると、図１０に示すように、各隔壁８３の凹所８４に、対応する保護壁４１の略全体が挿入される。保護壁４１は、凹所８４内において、上下方向に関して雌側サブハウジング７４又は雌側端子収容部７８との間に少し隙間をあけて配置される一方（図９を参照）、左右方向に関して開放端４２が端壁部８５に当接可能に配置されることで位置決めされる。端壁部８５は、保護壁４１の開放端４２と長辺部４３との間に左右方向に位置決めされた状態になる。
【００４６】
また、各誤嵌合防止凸部４９が各誤嵌合防止凹部８６に嵌合状態で挿入されるとともに、リブ状部７７がリブ逃がし部４５を介してリブ受部２９に嵌合状態で挿入されることにより、雌側ハウジング７１が雄側ハウジング１１及びムービングプレート１２に対して上下反転した姿勢で誤嵌合される事態が回避される。
【００４７】
また、雌側ハウジング７１がフード部１８内に浅く嵌合されると、カムフォロア８７が導入口４６及び進入口３０を介してカムピン４７と合体してカム部を構成するとともに、ムービングプレート１２の奥側への移動を規制するロックが解除され、ムービングプレート１２が奥側に移動可能な状態になる。
【００４８】
次いで、レバー１３が回動されると、カム部とレバー１３との間にカム機構が発揮され、雌側ハウジング７１がムービングプレート１２とともにフード部１８内の奥側に深く嵌合される。この間、ムービングプレート１２の周壁３６がフード部１８の内面を摺動するとともに、各凸部５０が各凹部３１の内面を摺動し、ムービングプレート１２の移動案内がなされる。こうして両コネクタ１０、７０が正規に嵌合されると、図９に示すように、プレート本体３５が雄側本体部１７にほぼ当接して雄側本体部１７と雌側ハウジング７１との間に挟まれた状態となり、且つ、各雄側端子金具１４の雄タブ１５が各雌側端子金具７２の接続部８２に挿入されて電気的に接続される。
【００４９】
以上説明したように、本実施例１によれば、プレート本体３５の挿通孔群４０間に保護壁４１が突出して設けられているため、ムービングプレート１２が初期位置にあるときに、各雄タブ１５の先端部の突出部分が保護壁４１で保護される。その結果、各雄タブ１５が異物との干渉に起因して折損、破損されるのを防止することができる。
【００５０】
また、保護壁４１は、両コネクタ１０、７０の嵌合時に雌側ハウジング７１の隔壁８３に設けられた凹所８４に進入して逃がされる。この場合に、保護壁４１が周壁３６の両長辺部４３から離間しており、凹所８４の両側に、枠部７３に連結される端壁部８５を残している。このため、隔壁８３に保護壁４１を受ける凹所８４が枠部７３の全幅にわたって開口することがなく、隔壁８３及び枠部７３の強度が必要以上に低下するのを抑えることができる。また、端壁部８５の存在によって凹所８４に外部異物が入り込みにくくなり、雄タブ１５の電気的な信頼性を確保することができる。
【００５１】
また、複数の雄タブ１５にはタブ幅の大きい大型雄端子２４とタブ幅の小さい小型雄端子２５とが含まれ、大型雄端子２４の先端部に隣接する保護壁４１は、小型雄端子２５の先端部に隣接する保護壁４１より厚肉に形成されているため、大型雄端子２４に対応する挿通孔３７の開口径が大きくなるという事情があっても、厚肉の保護壁４１によってプレート本体３５の強度を確保することができる。また、小型雄端子２５の先端部に隣接する保護壁４１は厚肉になっていないため、プレート本体３５の重量が必要以上に重くなることがなく、ムービングプレート１２の移動の円滑性を確保することができる。
【００５２】
さらに、本実施例１によれば、凸部５０がフード部１８の長辺部４３の上下方向中央側にせり出すが上下方向端部側にはせり出さない片あり状に形成されているため、各凸部５０が対応する凹部３１に嵌合されることにより、長辺部４３の上下方向中央側が湾曲変形する状態を効果的に矯正することができる。また、凸部５０が片あり状に形成されるため、両あり状に形成される場合に比べ、凸部５０と凹部３１との接触面積を小さくすることができ、ムービングプレート１２がフード部１８内を円滑に移動することができる。
【００５３】
また、フード部１８の長辺部４３の内面には雌側ハウジング７１の誤嵌合防止凹部８６に嵌合される誤嵌合防止凸部４９が設けられており、長辺部４３は誤嵌合防止凸部４９と凸部５０とが上下方向に関して互いに重なり合う厚肉部５４を有しているため、長辺部４３の強度を高めることができ、長辺部４３が湾曲変形するのを未然に防止することができる。
【００５４】
また、各凸部５０が一対の長辺部４３のそれぞれに上下方向に関して非対称に配置されているため、ムービングプレート１２に方向識別性が付与され、リブ状部７７等と共働してムービングプレート１２がフード部１８内に誤った姿勢で組み付けられるのを防止することができる。
【００５５】
＜他の実施例＞
以下、他の実施例を簡単に説明する。
（１）凹部の水平面及び凸部の平坦面は、凹部及び凸部の片あり形状が維持される範囲で、左右方向に対して若干の傾斜をもって配置されるものであってもよい。
（２）凹部及び凸部は、それぞれ側壁部及び長辺部において、上下方向に３つ以上並んで設けられるものであってもよい。
（３）雌側サブハウジング収容室に対応する部分が全て雌側端子収容部で構成され、隔壁が隣接する雌側端子収容部間に配置されるものであってもよい。逆に、雌側端子収容部に対応する部分が全て雌側サブハウジング収容室で構成され、隔壁が隣接する雌側サブハウジング収容室間に配置されるものであってもよい。
（４）長辺部の長辺方向（形成方向）が、実施例１と直交する左右方向に設定されるものであってもよい。
【符号の説明】
【００５６】
１０…雄側コネクタ
１１…雄側ハウジング
１２…ムービングプレート
１４…雄側端子金具
１５…雄タブ
１８…フード部
３１…凹部
３５…プレート本体
３６…周壁
３７…挿通孔
４１…保護壁
４３…長辺部
４４…短辺部
４９…誤嵌合防止凸部
５０…凸部
５４…厚肉部
７０…雌側コネクタ
７１…雌側ハウジング
７３…枠部
８３…隔壁 
８４…凹部
８５…端壁部
８６…誤嵌合防止凹部
【図１】
2019029197.tif 000003
【図２】
2019029197.tif 000004
【図３】
2019029197.tif 000005
【図４】
2019029197.tif 000006
【図５】
2019029197.tif 000007
【図６】
2019029197.tif 000008
【図７】
2019029197.tif 000009
【図８】
2019029197.tif 000010
【図９】
2019029197.tif 000011
【図１０】
2019029197.tif 000012